(57)【要約】【課題】変調方式を容易に判定する。【解決手段】受信信号をＢＰＳＫ、ＱＰＳＫ、１６ＱＡＭ、６４ＱＡＭで復調する復調部２２、３２、４２、５２と、復調部の出力に基づき受信信号を復元した理想信号を生成する理想信号生成部２４、３４、４４、５４と、受信信号と前記理想信号との誤差を測定する誤差測定部２６、３６、４６、５６とを有し、各復調方式ごとに設けられた複数の誤差決定部２０、３０、４０、５０と、誤差の内で最小となるものを出力する誤差測定部を有する誤差決定部において復調に使用される復調方式を、最適復調方式であると判定する最適復調方式判定部６０を備える。【選択図】  図１
2004350218.tif 000002
【特許請求の範囲】
【請求項１】
受信信号を所定の復調方式で復調する復調部と、前記復調部の出力に基づき前記受信信号を復元した理想信号を生成する理想信号生成部と、前記受信信号と前記理想信号との誤差を測定する誤差測定部とを有し、各復調方式ごとに設けられた複数の誤差決定手段と、
前記誤差の内で最小となるものを出力する前記誤差測定部を有する前記誤差決定手段において復調に使用される復調方式を、最適復調方式であると判定する最適復調方式判定手段と、
を備えた受信装置。
【請求項２】
請求項１に記載の受信装置であって、
前記復調方式は、ＢＰＳＫ、ＱＰＳＫ、１６ＱＡＭおよび６４ＱＡＭの内のいずれか一つ以上である、
受信装置。
【請求項３】
請求項１または２に記載の受信装置であって、
前記最適復調方式を使用して復調を行った前記復調手段の出力を取得する最適復調データ取得手段を備えた受信装置。
【請求項４】
請求項１または２に記載の受信装置であって、
前記受信信号を供給する前記誤差決定手段を選択する選択手段を備えた受信装置。
【請求項５】
受信信号を所定の復調方式で復調する復調部と、前記復調部の出力に基づき前記受信信号を復元した理想信号を生成する理想信号生成部と、前記受信信号と前記理想信号との誤差を測定する誤差測定部とを有し、各復調方式ごとに設けられた複数の誤差決定手段を備えた受信装置における受信方法であって、
前記誤差の内で最小となるものを出力する前記誤差測定部を有する前記誤差決定手段において復調に使用される復調方式を、最適復調方式であると判定する最適復調方式判定工程を備えた受信方法。
【請求項６】
受信信号を所定の復調方式で復調する復調部と、前記復調部の出力に基づき前記受信信号を復元した理想信号を生成する理想信号生成部と、前記受信信号と前記理想信号との誤差を測定する誤差測定部とを有し、各復調方式ごとに設けられた複数の誤差決定手段を備えた受信装置における受信処理をコンピュータに実行させるためのプログラムであって、
前記誤差の内で最小となるものを出力する前記誤差測定部を有する前記誤差決定手段において復調に使用される復調方式を、最適復調方式であると判定する最適復調方式判定処理をコンピュータに実行させるためのプログラム。
【請求項７】
受信信号を所定の復調方式で復調する復調部と、前記復調部の出力に基づき前記受信信号を復元した理想信号を生成する理想信号生成部と、前記受信信号と前記理想信号との誤差を測定する誤差測定部とを有し、各復調方式ごとに設けられた複数の誤差決定手段を備えた受信装置における受信処理をコンピュータに実行させるためのプログラムを記録したコンピュータによって読み取り可能な記録媒体であって、
前記誤差の内で最小となるものを出力する前記誤差測定部を有する前記誤差決定手段において復調に使用される復調方式を、最適復調方式であると判定する最適復調方式判定処理をコンピュータに実行させるためのプログラムを記録したコンピュータによって読み取り可能な記録媒体。
【発明の詳細な説明】
【０００１】
【発明の属する技術分野】
本発明は、変調方式の判定に関する。
【０００２】
【従来の技術】
従来より、ＭＭＡＣなどのＯＦＤＭ信号では、変調方式としてＢＰＳＫ、ＱＰＳＫ、１６ＱＡＭ、６４ＱＡＭのいずれかが使用されている。ＯＦＤＭ信号の受信器は、ＯＦＤＭ信号の復調にあたって、ＯＦＤＭ信号の変調方式に対応した復調方式を使用する必要がある。よって、ＯＦＤＭ信号の受信器は、受信したＯＦＤＭ信号がどの変調方式で変調されているかを取得する必要がある。
【０００３】
そこで、ＯＦＤＭ信号の送信器は、どの変調方式でＯＦＤＭ信号が変調されているかを示す変調情報を既知シンボルに記録して送信する。ＯＦＤＭ信号の受信器は、既知シンボルの位置を検出してから復調し、変調情報を取得する。そして、取得した変調情報に基づき、ＯＦＤＭ信号の復調を行う。
【０００４】
【発明が解決しようとする課題】
しかしながら、既知シンボルは、ＯＦＤＭ信号の送信器と受信器の組み合わせ、すなわちＯＦＤＭ信号通信システムごとに異なる。よって、ＯＦＤＭ信号通信システム固有のＯＦＤＭ信号受信器を用意する必要があり、受信器の用意に多大な労力を要する。
【０００５】
そこで、本発明は、変調方式を容易に判定することを課題とする。
【０００６】
【課題を解決するための手段】
請求項１に記載の発明は、受信信号を所定の復調方式で復調する復調部と、復調部の出力に基づき受信信号を復元した理想信号を生成する理想信号生成部と、受信信号と理想信号との誤差を測定する誤差測定部とを有し、各復調方式ごとに設けられた複数の誤差決定手段と、誤差の内で最小となるものを出力する誤差測定部を有する誤差決定手段において復調に使用される復調方式を、最適復調方式であると判定する最適復調方式判定手段とを備えるように構成される。
【０００７】
上記のように構成された発明によれば、各復調方式ごとに設けられた複数の誤差決定手段は、受信信号を所定の復調方式で復調する復調部と、復調部の出力に基づき受信信号を復元した理想信号を生成する理想信号生成部と、受信信号と理想信号との誤差を測定する誤差測定部とを有する。最適復調方式判定手段は、誤差の内で最小となるものを出力する誤差測定部を有する誤差決定手段において復調に使用される復調方式を、最適復調方式であると判定する。
【０００８】
請求項２に記載の発明は、請求項１に記載の発明であって、復調方式は、ＢＰＳＫ、ＱＰＳＫ、１６ＱＡＭおよび６４ＱＡＭの内のいずれか一つ以上であるように構成される。
【０００９】
請求項３に記載の発明は、請求項１または２に記載の発明であって、最適復調方式を使用して復調を行った復調手段の出力を取得する最適復調データ取得手段を備えるように構成される。
【００１０】
請求項４に記載の発明は、請求項１または２に記載の発明であって、受信信号を供給する誤差決定手段を選択する選択手段を備えるように構成される。
【００１１】
請求項５に記載の発明は、受信信号を所定の復調方式で復調する復調部と、復調部の出力に基づき受信信号を復元した理想信号を生成する理想信号生成部と、受信信号と理想信号との誤差を測定する誤差測定部とを有し、各復調方式ごとに設けられた複数の誤差決定手段を備えた受信装置における受信方法であって、誤差の内で最小となるものを出力する誤差測定部を有する誤差決定手段において復調に使用される復調方式を、最適復調方式であると判定する最適復調方式判定工程を備えるように構成される。
【００１２】
請求項６に記載の発明は、受信信号を所定の復調方式で復調する復調部と、復調部の出力に基づき受信信号を復元した理想信号を生成する理想信号生成部と、受信信号と理想信号との誤差を測定する誤差測定部とを有し、各復調方式ごとに設けられた複数の誤差決定手段を備えた受信装置における受信処理をコンピュータに実行させるためのプログラムであって、誤差の内で最小となるものを出力する誤差測定部を有する誤差決定手段において復調に使用される復調方式を、最適復調方式であると判定する最適復調方式判定処理をコンピュータに実行させるためのプログラムである。
【００１３】
請求項７に記載の発明は、受信信号を所定の復調方式で復調する復調部と、復調部の出力に基づき受信信号を復元した理想信号を生成する理想信号生成部と、受信信号と理想信号との誤差を測定する誤差測定部とを有し、各復調方式ごとに設けられた複数の誤差決定手段を備えた受信装置における受信処理をコンピュータに実行させるためのプログラムを記録したコンピュータによって読み取り可能な記録媒体であって、誤差の内で最小となるものを出力する誤差測定部を有する誤差決定手段において復調に使用される復調方式を、最適復調方式であると判定する最適復調方式判定処理をコンピュータに実行させるためのプログラムを記録したコンピュータによって読み取り可能な記録媒体である。
【００１４】
【発明の実施の形態】
以下、本発明の実施形態を図面を参照しながら説明する。
【００１５】
図１は、本発明の実施形態にかかる受信装置１の構成を示すブロック図である。受信装置１は、選択部１０、誤差決定部２０、３０、４０、５０、最適復調方式判定部６０、最適復調データ取得部７０を備える。
【００１６】
選択部１０は、誤差決定部２０、３０、４０、５０のいずれに受信信号を供給するかを選択する。選択部１０は、例えば、受信信号と誤差決定部２０、３０、４０、５０のそれぞれとを接続するスイッチ１２、１３、１４、１５を有する。後述するように、誤差決定部２０、３０、４０、５０は、それぞれ、ＢＰＳＫ、ＱＰＳＫ、１６ＱＡＭおよび６４ＱＡＭに対応している。そこで、受信信号を変調する方式として使用されている可能性のあるものに対応した誤差決定部２０〜５０に受信信号を供給する。
【００１７】
例えば、受信信号は、ＢＰＳＫあるいはＱＰＳＫにより変調されているものとする。この場合、選択部１０は、スイッチ１２、１３をＯＮにして、受信信号を誤差決定部２０、３０に供給する。なお、受信信号を変調する方式として何が使用されているか全く予測できない場合は、スイッチ１２、１３、１４、１５全てをＯＮにして、誤差決定部２０、３０、４０、５０に受信信号を供給する。
【００１８】
誤差決定部２０、３０、４０、５０は、それぞれ、ＢＰＳＫ、ＱＰＳＫ、１６ＱＡＭおよび６４ＱＡＭに対応している。本発明の実施形態においては、これら四種類の復調方式（変調方式）を列挙しているが、他に８ＰＳＫ、２５６ＱＡＭに対応した誤差決定部を設けてもよい。
【００１９】
誤差決定部２０は、復調部２２、理想信号生成部２４、誤差測定部２６を有する。復調部２２は、受信信号をＢＰＳＫ方式により復調する。理想信号生成部２４は、復調部２２の出力に基づき、受信信号を復元した理想信号を生成する。誤差測定部２６は、受信信号と理想信号との誤差（ＥＶＭ：Ｅｒｒｏｒ  Ｖｅｃｔｏｒ  Ｍａｇｎｉｔｕｄｅ）を測定する。誤差（ＥＶＭ）は、図２に示すように、受信信号および理想信号をＩＱ平面にとったときの距離に相当するものである。誤差（ＥＶＭ）は、下記の式により求めることができる。
【００２０】
【数１】
2004350218.tif 000003
誤差決定部３０は、復調部３２、理想信号生成部３４、誤差測定部３６を有する。復調部３２は、受信信号をＱＰＳＫ方式により復調する。理想信号生成部３４は理想信号生成部２４と同様である。誤差測定部３６は誤差測定部２６と同様である。
【００２１】
誤差決定部４０は、復調部４２、理想信号生成部４４、誤差測定部４６を有する。復調部４２は、受信信号を１６ＱＡＭ方式により復調する。理想信号生成部４４は理想信号生成部２４と同様である。誤差測定部４６は誤差測定部２６と同様である。
【００２２】
誤差決定部５０は、復調部５２、理想信号生成部５４、誤差測定部５６を有する。復調部５２は、受信信号を６４ＱＡＭ方式により復調する。理想信号生成部５４は理想信号生成部２４と同様である。誤差測定部５６は誤差測定部２６と同様である。
【００２３】
最適復調方式判定部６０は、誤差（ＥＶＭ）の内で最小となるものを出力するものが、誤差測定部２６、３６、４６および５６のいずれであるかを判定する。そして、その誤差測定部を有する誤差決定部において復調に使用される復調方式を、最適復調方式であると判定する。この最適復調方式こそ、受信信号の変調に使用された変調方式である。受信信号の変調に使用された変調方式以外の方式で復調した場合は誤差（ＥＶＭ）が大きくなるが、受信信号の変調に使用された変調方式で復調した場合は誤差（ＥＶＭ）がわずかなものですむからである。
【００２４】
例えば、誤差決定部２０、３０、４０、５０に受信信号を供給しており、誤差測定部２６が測定し出力した誤差（ＥＶＭ）が、他の誤差測定部３６、４６および５６の測定し出力した誤差（ＥＶＭ）よりも小さいものとする。この場合、誤差測定部２６を有する誤差決定部２０において復調に使用される復調方式ＢＰＳＫを最適復調方式であると判定する。
【００２５】
最適復調データ取得部７０は、最適復調方式を最適復調方式判定部６０から取得し、最適復調方式を使用して復調を行った復調部の出力を取得する。例えば、復調方式ＢＰＳＫが最適復調方式であると判定された場合、復調部２２の出力を取得する。これにより、受信信号の変調に使用された変調方式による復調が可能となる。
【００２６】
次に、本発明の実施形態の動作を説明する。
【００２７】
まず、選択部１０により、誤差決定部２０、３０、４０、５０のいずれに受信信号を供給するかを選択する。例えば、誤差決定部２０、３０、４０、５０の全てに受信信号を供給することを選択したとする。
【００２８】
そして、受信装置１は受信信号を受信する。選択部１０により受信信号が供給されることが選択された誤差決定部２０、３０、４０、５０に受信信号が供給される。受信信号は、復調部２２、３２、４２、５２により、ＢＰＳＫ、ＱＰＳＫ、１６ＱＡＭ、６４ＱＡＭという復調方式により復調される。理想信号生成部２４、３４、４４、５４は、復調部２２、３２、４２、５２の復調結果に基づき、受信信号を復元した理想信号を生成する。誤差測定部２６、３６、４６、５６は、受信信号と理想信号との誤差（ＥＶＭ）を測定する。
【００２９】
誤差測定部２６、３６、４６、５６により測定された誤差（ＥＶＭ）は、最適復調方式判定部６０に与えられ、いずれの誤差が最小であるかが判定される。そして、最小の誤差を出力する誤差測定部を有する誤差決定部において復調に使用される復調方式を、最適復調方式であると判定する。
【００３０】
最適復調方式は、最適復調データ取得部７０に与えられる。最適復調データ取得部７０は、最適復調方式を使用して復調を行った復調部の出力を取得する。
【００３１】
本発明の実施形態によれば、受信信号がＢＰＳＫ、ＱＰＳＫ、１６ＱＡＭおよび６４ＱＡＭのいずれの方式によって変調されていたとしても、受信信号の変調に使用された変調方式がＢＰＳＫ、ＱＰＳＫ、１６ＱＡＭおよび６４ＱＡＭの内のいずれであるかを、最適復調方式判定部６０によって判定できる。特に、送信器および受信器により構成される通信システムに固有な既知シンボルなどを使用しないため、通信システム固有の受信装置１を用意する必要は無く、受信装置１の用意に多大な労力を要することもない。
【００３２】
しかも、理想信号の生成に使用した復調部２２、３２、４２、５２の出力（復調データ）の内、最適復調方式に対応する復調データは、最適復調データ取得部７０により取得される。よって、復調データを、復調方式の判定に使用できるばかりか復調結果としても使用できるので、復調データを効率良く利用できる。
【００３３】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータのメディア読み取り装置に、上記の各部分（例えば最適復調方式判定部６０および最適復調データ取得部７０）を実現するプログラムを記録したメディアを読み取らせて、ハードディスクにインストールする。このような方法でも、上記の実施形態を実現できる。
【図面の簡単な説明】
【図１】本発明の実施形態にかかる受信装置１の構成を示すブロック図である。
【図２】誤差（ＥＶＭ）を説明するための図である。
【符号の説明】
１  受信装置
１０  選択部
２０、３０、４０、５０  誤差決定部
２２、３２、４２、５２  復調部
２４、３４、４４、５４  理想信号生成部
２６、４６、４６、５６  誤差測定部
６０  最適復調方式判定部
７０  最適復調データ取得部
【図１】
2004350218.tif 000004
【図２】
2004350218.tif 000005